(57)【特許請求の範囲】
【請求項１】
折り畳み可能な脚部と、
この脚部に支持された座面部と、
手摺りとを備えており、
前記手摺りは、略Ｕ字状の手摺り本体、回動軸部及び係止手段を有しており、
前記回動軸部は、前記脚部の後側部分に設けられ、前記手摺り本体の長さ方向の一端部を回動自在に支持しており、
前記係止手段は、前記手摺り本体の長さ方向の他端部に回動自在に取り付けられており、
前記脚部が展開された状態で、前記係止手段が前記脚部の前側部分に着脱自在に係止されることにより、前記手摺り本体が前記脚部の後側部分と前記脚部の前側部分とに懸架され、
前記脚部が折り畳まれた状態で、前記係止手段が前記後側部分の回動軸部の取付部位の上側部分又は下側部分に着脱自在に係止されることにより、前記手摺り本体が前記取付部位と、前記上側部分又は下側部分とに懸架される折り畳み椅子。
【請求項２】
請求項１記載の折り畳み椅子において、
前記係止手段は、前記脚部が展開された状態で、前記脚部の前側部分が嵌合可能であり、前記脚部が折り畳まれた状態で、前記上側部分又は下側部分が嵌合可能であるクランプ部である折り畳み椅子。
【請求項３】
請求項１又は２記載の折り畳み椅子において、
前記脚部は、該脚部の両側に配置され且つ開閉可能な一対の第１Ｘ字脚と、
前記第１Ｘ字脚の後側下端部に回動自在に取り付けられた一対の第１下側連結部と、
前記第１Ｘ字脚の後側上端部に回動自在に取り付けられた一対の第１上側連結部と、
前記第１下側連結部に立設されており且つ前記第１上側連結部が上下動自在に取り付けられた一対の後側支持部とを備えており、
前記脚部の後側部分は前記後側支持部であり、
前記脚部の前側部分は前記第１Ｘ字脚の前側上端部である折り畳み椅子。
【請求項４】
請求項１又は２記載の折り畳み椅子において、
前記脚部は、該脚部の両側に配置され且つ開閉可能な一対の第１Ｘ字脚と、
前記展開された状態で、前記第１Ｘ字脚の前側上端部と後側上端部とに又は前記第１Ｘ字脚の前側下端部と後側下端部とに懸架される一対の懸架部材を更に備えており、
前記脚部の後側部分は前記第１Ｘ字脚の後側上端部であり、
前記脚部の前側部分は前記第１Ｘ字脚の前側上端部である折り畳み椅子。
【請求項５】
折り畳み可能な脚部と、
この脚部に支持された座面部と、
手摺りとを備えており、
前記脚部は、該脚部の両側に配置され且つ開閉可能な一対の第１Ｘ字脚と、
前記第１Ｘ字脚の後側下端部に回動自在に取り付けられた一対の第１下側連結部と、
前記第１Ｘ字脚の後側上端部に回動自在に取り付けられた一対の第１上側連結部と、
前記第１下側連結部に立設されており且つ前記第１上側連結部が上下動自在に取り付けられた一対の後側支持部とを備えており、
前記手摺りは、手摺り本体、回動軸部及び係止手段を有しており、
前記回動軸部は、前記後側支持部に上下動自在に取り付けられており且つ前記手摺り本体の長さ方向の一端部を回動自在に支持しており、
前記係止手段は、前記手摺り本体の長さ方向の他端部に回動自在に設けられており、
前記脚部が展開された状態で、前記係止手段が前記脚部の前側部分に着脱自在に係止されることにより、前記手摺り本体が前記後側支持部と前記前側部分とに懸架され、
前記脚部が折り畳まれた状態で、前記係止手段が前記後側支持部の前記回動軸部の取付部位よりも上側部分又は下側部分に着脱自在に係止されることにより、前記手摺り本体が前記取付部位と、前記上側部分又は下側部分とに懸架される折り畳み椅子。
【請求項６】
折り畳み可能な脚部と、
背もたれ部と、
この脚部に支持された座面部と、
手摺りとを備えており、
前記脚部は、該脚部の両側に配置され且つ開閉可能な一対の第１Ｘ字脚と、
前記第１Ｘ字脚の後側下端部に回動自在に取り付けられた一対の第１下側連結部と、
前記第１Ｘ字脚の後側上端部に回動自在に取り付けられた一対の第１上側連結部と、
リクライニング機構を備えており、
前記リクライニング機構は、前記第１上側連結部が上下動自在に取り付けられた一対の支持部と、
一対の回動部とを有しており、
前記支持部は、前記背もたれ部を支持する上端部と、下端部とを有しており、
前記回動部は、一端部が第１Ｘ字脚の後側下端部に回動自在に取り付けられており、他端部が前記支持部の下端部に回動自在に取り付けられており
前記手摺りは、手摺り本体、回動軸部及び係止手段を有しており、
前記回動軸部は、前記支持部に上下動自在に取り付けられており且つ前記手摺り本体の長さ方向の一端部を回動自在に支持しており、
前記係止手段は、前記手摺り本体の長さ方向の他端部に回動自在に設けられており、
前記脚部が展開された状態で、前記係止手段が前記脚部の前側部分に着脱自在に係止されることにより、前記手摺り本体が前記支持部と前記前側部分とに懸架され、
前記脚部が折り畳まれた状態で、前記係止手段が前記支持部の前記回動軸部の取付部位よりも上側部分又は下側部分に着脱自在に係止されることにより、前記手摺り本体が前記取付部位と、前記上側部分又は下側部分とに懸架される折り畳み椅子。
【請求項７】
請求項３、５又は９記載の折り畳み椅子において、
前記脚部は、該脚部の前後側に配置されており且つ開閉可能な一対の第２Ｘ字脚と、
前記第１Ｘ字脚の前側下端部及び前側の第２Ｘ字脚の下端部が回動自在に取り付けられた一対の第２下側連結部と、
前記第１Ｘ字脚の前側上端部及び前側の第２Ｘ字脚の上端部が回動自在に取り付けられた一対の第２上側連結部とを更に備えている折り畳み椅子。
【請求項８】
請求項３又は５記載の折り畳み椅子において、
前記脚部は、前記第１Ｘ字脚の前側上端部、前側下端部同士を連結する一対の前側連結部と、
前記第１Ｘ字脚の後側上端部、後側下端部同士を連結する一対の後側連結部とを更に備えている折り畳み椅子。
【請求項９】
請求項５記載の折り畳み椅子において、
背もたれ部を更に備えており、
前記後側支持部は前記第１上側連結部を貫通しており、該後側支持部の上端部が前記背もたれ部を支持している折り畳み椅子。
【請求項１０】
請求項８記載の折り畳み椅子において、
前記支持部は前記第１上側連結部を貫通している折り畳み椅子。
【発明の詳細な説明】
【技術分野】
【０００１】
本発明は、アウトドア等に使用される折り畳み椅子に関する。
【背景技術】
【０００２】
この種の折り畳み椅子としては、略Ｌ字状の手摺りの長さ方向の一端部が脚部の背もたれ部を支持する後側支持ポールに回動自在に取り付けられたものがある。手摺りの他端部には円筒状の凹部が設けられている。前記椅子が展開された状態で、手摺りの凹部に脚部の前側支持ポールの上端部が嵌合する。これにより手摺りが前側支持ポールと後側支持ポールとの間に懸架され、手摺り本体の機能を発揮する。一方、前記椅子が折り畳まれた状態で、前記手摺りの前記凹部から前側支持ポールの上端部が取り外され、脚部の折り畳みの障害にならないようになっている（特許文献１参照）。
【先行技術文献】
【特許文献】
【０００３】
【特許文献１】特開２００９−００５７３８号公報
【発明の概要】
【発明が解決しようとする課題】
【０００４】
ところで、上述した折り畳み椅子は、屋外に持ち運び、使用され得るものであることから、可搬性の向上が要求されている。
【０００５】
本発明は、上記事情に鑑みて創案されたものであって、その目的とするところは、可搬性の向上を図ることができる折り畳み椅子を提供することにある。
【課題を解決するための手段】
【０００６】
上記課題を解決するために、本発明の第１折り畳み椅子は、折り畳み可能な脚部と、この脚部に支持された座面部と、手摺りとを備えている。前記手摺りは、略Ｕ字状の手摺り本体、回動軸部及び係止手段を有している。前記回動軸部は、前記脚部の後側部分に設けられ、前記手摺り本体の長さ方向の一端部を回動自在に支持している。前記係止手段は、前記手摺り本体の長さ方向の他端部に回動自在に取り付けられている。前記脚部が展開された状態で、前記係止手段が前記脚部の前側部分に着脱自在に係止されることにより、前記手摺り本体が前記脚部の後側部分と前記脚部の前側部分とに懸架される。前記脚部が折り畳まれた状態で、前記係止手段が前記後側部分の回動軸部の取付部位の上側部分又は下側部分に着脱自在に係止されることにより、前記手摺り本体が前記取付部位と、前記上側部分又は下側部分とに懸架される。
【０００７】
このような態様の発明による場合、回動軸部が脚部の後側部分に設けられ、手摺り本体の一端部を回動自在に軸支しているので、脚部が展開された状態で、回動軸部を支点に手摺り本体を回動させ、手摺り本体の他端側の係止手段を脚部の前側部分に係止させることにより、手摺り本体を脚部の前側部分と後側部分との間に懸架させることができる。これにより、手摺り本体が手摺り本来の機能を発揮する。一方、脚部が折り畳まれた状態で、回動軸部を支点に手摺り本体を回動させ、係止手段を前記後側部分の回動軸部の取付部位の上側部分又は下側部分に係止させることにより、手摺り本体を前記後側部分の回動軸部の取付部位とその上側部分又は下側部分との間に懸架させることができる。これにより手摺り本体を持ち運び用の把手として用いることができる。よって、本椅子の可搬性が向上する。
手摺り本体が略Ｕ字状であるため、脚部の前側部分と後側部分とに懸架された状態が安定する。しかも、係止手段が回動自在となっているため、該係止手段の角度を変えることで、脚部の前側部分、後側部分に簡単に係止させることができる。
【０００８】
前記係止手段は、前記脚部が展開された状態で、前記脚部の前側部分が嵌合可能であり、前記脚部が折り畳まれた状態で、前記上側部分又は下側部分が嵌合可能であるクランプ部である構成とすることが可能である。このような態様の発明による場合、クランプ部に前記脚部の前側部分、前記後側部分の回動軸部の取付部位の上側部分又は下側部分を嵌合させるだけであることから、その取り付けが簡単になる。
【０００９】
前記脚部は、該脚部の両側に配置され且つ開閉可能な一対の第１Ｘ字脚と、前記第１Ｘ字脚の後側下端部に回動自在に取り付けられた一対の第１下側連結部と、前記第１Ｘ字脚の後側上端部に回動自在に取り付けられた一対の第１上側連結部と、前記第１下側連結部に立設されており且つ前記第１上側連結部が上下動自在に取り付けられた一対の後側支持部とを備えてた構成とすることが可能である。この場合、前記脚部の後側部分は前記後側支持部、前記脚部の前側部分は前記第１Ｘ字脚の前側上端部とすることが可能である。
又は、前記脚部は、該脚部の両側に配置され且つ開閉可能な一対の第１Ｘ字脚と、前記展開された状態で、前記第１Ｘ字脚の前側上端部と後側上端部とに又は前記第１Ｘ字脚の前側下端部と後側下端部とに懸架される一対の懸架部材を更に備えた構成とすることが可能である。前記脚部の後側部分は前記第１Ｘ字脚の後側上端部、前記脚部の前側部分は前記第１Ｘ字脚の前側上端部とすることが可能である。
【００１０】
本発明の第２折り畳み椅子は、折り畳み可能な脚部と、この脚部に支持された座面部と、  手摺りとを備えている。前記脚部は、該脚部の両側に配置され且つ開閉可能な一対の第１Ｘ字脚と、前記第１Ｘ字脚の後側下端部に回動自在に取り付けられた一対の第１下側連結部と、前記第１Ｘ字脚の後側上端部に回動自在に取り付けられた一対の第１上側連結部と、前記第１下側連結部に立設されており且つ前記第１上側連結部が上下動自在に取り付けられた一対の後側支持部とを備えている。前記手摺りは、手摺り本体、回動軸部及び係止手段を有している。前記回動軸部は、前記後側支持部に上下動自在に取り付けられており且つ前記手摺り本体の長さ方向の一端部を回動自在に支持している。前記係止手段は、前記手摺り本体の長さ方向の他端部に回動自在に設けられている。前記脚部が展開された状態で、前記係止手段が前記脚部の前側部分に着脱自在に係止されることにより、前記手摺り本体が前記後側支持部と前記前側部分とに懸架される。前記脚部が折り畳まれた状態で、前記係止手段が前記後側支持部の前記回動軸部の取付部位よりも上側部分又は下側部分に着脱自在に係止されることにより、前記手摺り本体が前記取付部位と、前記上側部分又は下側部分とに懸架される。
【００１１】
本発明の第３折り畳み椅子は、折り畳み可能な脚部と、背もたれ部と、この脚部に支持された座面部と、手摺りとを備えている。前記脚部は、該脚部の両側に配置され且つ開閉可能な一対の第１Ｘ字脚と、前記第１Ｘ字脚の後側下端部に回動自在に取り付けられた一対の第１下側連結部と、前記第１Ｘ字脚の後側上端部に回動自在に取り付けられた一対の第１上側連結部と、リクライニング機構を備えている。前記リクライニング機構は、前記第１上側連結部が上下動自在に取り付けられた一対の支持部と、一対の回動部とを有している。前記支持部は、前記背もたれ部を支持する上端部と、下端部とを有している。前記回動部は、一端部が第１Ｘ字脚の後側下端部に回動自在に取り付けられており、他端部が前記支持部の下端部に回動自在に取り付けられている。前記手摺りは、手摺り本体、回動軸部及び係止手段を有している。前記回動軸部は、前記支持部に上下動自在に取り付けられており且つ前記手摺り本体の長さ方向の一端部を回動自在に支持している。前記係止手段は、前記手摺り本体の長さ方向の他端部に回動自在に設けられている。前記脚部が展開された状態で、前記係止手段が前記脚部の前側部分に着脱自在に係止されることにより、前記手摺り本体が前記支持部と前記前側部分とに懸架される。前記脚部が折り畳まれた状態で、前記係止手段が前記支持部の前記回動軸部の取付部位よりも上側部分又は下側部分に着脱自在に係止されることにより、前記手摺り本体が前記取付部位と、前記上側部分又は下側部分とに懸架される。
【００１２】
前記脚部は、該脚部の前後側に配置されており且つ開閉可能な一対の第２Ｘ字脚と、前記第１Ｘ字脚の前側下端部及び前側の第２Ｘ字脚の下端部が回動自在に取り付けられた一対の第２下側連結部と、前記第１Ｘ字脚の前側上端部及び前側の第２Ｘ字脚の上端部が回動自在に取り付けられた一対の第２上側連結部とを更に備えた構成とすることが可能である。
又は、前記脚部は、前記第１Ｘ字脚の前側上端部、前側下端部同士を連結する一対の前側連結部と、前記第１Ｘ字脚の後側上端部、後側下端部同士を連結する一対の後側連結部とを更に備えた構成とすることが可能である。
【００１４】
前記折り畳み椅子は、背もたれ部を更に備えた構成とすることが可能である。この場合、前記後側支持部は前記第１上側連結部を貫通している。この後側支持部の上端部が前記背もたれ部を支持している。
【００１５】
前記支持部は前記第１上側連結部を貫通した構成とすることが可能である。
【図面の簡単な説明】
【００１６】
【図１】本発明の実施例１に係る折り畳み椅子の斜視図であって、（ａ）が正面平面左側面側から表した図、（ｂ）が背面平面左側面を表した図である。
【図２】前記椅子の左側面図である。
【図３】前記椅子の折り畳んだ状態を示す斜視図である。
【図４】本発明の実施例２に係る折り畳み椅子の斜視図であって、（ａ）が正面平面左側面側から表した図、（ｂ）が背面平面左側面を表した図である。
【図５】前記椅子の左側面図であって、（ａ）がリクライニング前の状態を示す図、（ｂ）がリクライニング後の状態を示す図である。
【図６】前記椅子の折り畳んだ状態を示す斜視図である。
【図７】前記椅子の設計変形例を示す斜視図である。
【図８】前記椅子の別の設計変形例を示す左側面図である。
【発明を実施するための形態】
【００１７】
以下、本発明の実施例１及び２に係る折り畳み椅子ついて説明する。
【実施例１】
【００１８】
まず、本発明の実施例１に係る折り畳み椅子ついて図１乃至図３を参照しつつ説明する。図１（ａ）及び図１（ｂ）に示す折り畳み椅子は、折り畳み可能な脚部１００と、シート２００と、一対の手摺り３００とを備えている。以下、折り畳み椅子の各部について詳しく説明する。
【００１９】
脚部１００は、一対のＸ字脚１１０ａ、１１０ｂ（第１、第２Ｘ字脚）と、一対の下側連結部１２０ａ、１２０ｂ（第１、第２下側連結部）と、一対の上側連結部１３０ａ、１３０ｂ（第１、第２上側連結部）と、一対の後側支持ポール１４０（後側支持部）とを有している。Ｘ字脚１１０ａは、脚部１００の両側に対向配置されている。Ｘ字脚１１０ｂは脚部１００の前後側に対向配置されている。このＸ字脚１１０ａ、１１０ｂは、中心部で回転自在に連結された一対の円筒状のポール１１１ａ、１１１ｂを有している。このポール１１１ａ、１１１ｂが前記中心部を支点として回転することにより、ポール１１１ａ、１１１ｂの上端部及び下端部が互いに離反・接近するようになっている。これがＸ字脚１１０ａ、１１０ｂの開閉となっている。ポール１１１ａの後側の上端部には、樹脂製のストッパー１１２ａが外嵌している。
【００２０】
下側連結部１２０ａは樹脂製の成型品であって、略直角に配設された一対の壁部を有している。一方の壁部にＸ字脚１１０ａのポール１１１ａの後側の下端部が回動自在に軸支され、他方の壁部に後側のＸ字脚１１０ｂのポール１１１ｂの下端部が回動自在に軸支されている。また、下側連結部１２０ａの一対の壁部の間には、後側支持ポール１４０の下端部が嵌合する円筒部が設けられている。すなわち、後側支持ポール１４０は下側連結部１２０ａに立設されている。また、下側連結部１２０ｂも樹脂製の成型品であって、略直角に配設された一対の壁部を有している。一方の壁部にＸ字脚１１０ａのポール１１１ａの前側の下端部が回動自在に軸支され、他方の壁部に前側のＸ字脚１１０ｂのポール１１１ｂの下端部が回動自在に軸支されている。
【００２１】
上側連結部１３０ａは樹脂製の成型品であって、略直角に配設された一対の壁部を有している。一方の壁部にＸ字脚１１０ａのポール１１１ａの後側の上端部が回動自在に軸支され、他方の壁部に後側のＸ字脚１１０ｂのポール１１１ｂの上端部が回動自在に軸支されている。また、上側連結部１３０ａには貫通孔が設けられている。後側支持ポール１４０は、前記貫通孔を貫通し上方に延びている。この後側支持ポール１４０は、外径がポール１１１ａ、１１１ｂと同じ円筒状のポールである。また、上側連結部１３０ｂも樹脂製の成型品であって、略直角に配設された一対の壁部を有している。一方の壁部にＸ字脚１１０ａのポール１１１ａの前側の上端部が回動自在に軸支され、他方の壁部に前側のＸ字脚１１０ｂのポール１１１ｂの上端部が回動自在に軸支されている。
【００２２】
この下側連結部１２０ａ、１２０ｂはＸ字脚１１０ａ、１１０ｂの開閉に伴って、離反・接近する。同様に、上側連結部１３０ａ、１３０ｂも、Ｘ字脚１１０ａ、１１０ｂの開閉に伴って、離反・接近する。このとき、ポール１１１ａ、１１１ｂの前側、後側の上端部、下端部が回動するようになっている。Ｘ字脚１１０ａが開いた状態が、脚部１００の展開状態となっており（図１及び図２参照）、Ｘ字脚１１０ａが閉じた状態が、脚部１００の折り畳み状態となっている（図３参照）。
【００２３】
シート２００は脚部１００に取り付けられている。このシート２００は、シート本体２１０と、取付部２２０とを有している。シート本体２１０は、ポリエステル等で構成された略矩形状の布地であって、下側の両角部が上側連結部１３０ｂに、上側の両角部が後側支持ポール１４０の上端部に各々固着されている。取付部２２０は、シート本体２１０の裏面の中央部に縫い付けられたポリエステル等の矩形状の布地である。取付部２２０の両角部には円形の孔２２１が開設されている。この孔２２１にＸ字脚１１０ａの後側の上端部が通され、孔２２１の周縁部がＸ字脚１１０ａのストッパー１１２ａに支持されている。このようにシート２００が脚部１００に取り付けられた状態で、図２に示すようにシート本体２１０が側面視略Ｌ字状になり、該シート本体２１０の水平部が座面部２１１として、垂直部が背もたれ部２１２として機能するようになっている。
【００２４】
手摺り３００は、手摺り本体３１０と、回動軸部３２０と、クランプ部３３０（係止手段）と、クッション部３４０とを有している。手摺り本体３１０は、略Ｕ字状のパイプである。この手摺り本体３１０の中間部にクッション部３４０が外嵌している。回動軸部３２０は、円筒状の樹脂部材であって、後側支持ポール１４０の上側連結部１３０ａの上側に上下動自在に外嵌している。この回動軸部３２０の外周面には、一対の片部が突設されており、該片部間に手摺り本体３１０の長さ方向の一端部が上下に回動自在に取り付けられている。クランプ部３３０は、先端部が断面略Ｕ字状の樹脂部材であって、その後端部に一対の片部が設けられている。この片部間に手摺り本体３１０の長さ方向の他端部が上下に回動自在に取り付けられている。このクランプ部３３０の先端部の内径は、ポール１１１ａ及び後側支持ポール１４０の外径と同じになっている。すなわち、クランプ部３３０の先端部にポール１１１ａ及び後側支持ポール１４０が着脱自在に嵌合するようになっている。
【００２５】
よって、上記展開状態で、回動軸部３２０を支点に手摺り本体３１０を回動させ、クランプ部３３０の先端部にＸ字脚１１０ａのポール１１１ａの前側の上端部を嵌合させると、手摺り本体３１０が後側支持ポール１４０とＸ字脚１１０ａの前側の上端部との間に懸架される。これにより、手摺り本体３１０が手摺り本来の機能を発揮する。このとき、回動軸部３２０は、上側連結部１３０ａに当接し支持されている。一方、上記折り畳み状態で、回動軸部３２０を支点に手摺り本体３１０を回動させ、クランプ部３３０の先端部に後側支持ポール１４０における回動軸部３２０の取付部位の下側部分を嵌合させると、手摺り本体３１０が後側支持ポール１４０における上側連結部１３０ａの上側部分と下側部分とに懸架される。この状態で、手摺り本体３１０が本折り畳み椅子を持ち運ぶための把手としての機能を発揮する。したがって、本折り畳み椅子の可搬性を向上させることができる。しかも、回動軸部３２０が後側支持ポール１４０に上下動自在に取り付けられていることから、手摺り本体３１０を把手として利用する際に、回動軸部３２０の位置を可変すると共に、クランプ部３３０の嵌合位置を可変することにより、把手の位置を各ユーザーに適した位置に変えることができる。
【００２６】
また、クランプ部３３０が手摺り本体３１０の他端部に回動自在に取り付けられていることから、該クランプ部３３０の角度を変えることができる。よって、クランプ部３３０にポール１１１ａ及び後側支持ポール１４０を嵌合させる際に、ポール１１１ａの傾斜角、後側支持ポール１４０の傾斜角に応じてクランプ部３３０の角度を各々変えることにより、クランプ部３３０にポール１１１ａ、後側支持ポール１４０を簡単に嵌合させることができる。また、手摺り本体３１０が略Ｕ字状であることから、懸架された状態が安定する。
【実施例２】
【００２７】
次に、本発明の実施例２に係る折り畳み椅子ついて図４乃至図６を参照しつつ説明する。図４（ａ）及び図４（ｂ）に示す折り畳み椅子は、脚部１００’が、一対の後側支持ポール１４０に替えて、リクライニング機構１５０を有している点で、実施例１の折り畳み椅子と相違している。以下、その相違点についてのみ詳しく説明し、重複する説明については省略する。なお、脚部には、実施例１の脚部１００と区別するために’を付す。
【００２８】
リクライニング機構１５０は、図４及び図５に示すように、一対の支持ポール１５１（支持部）と、一対の回動部１５２とを有している。回動部１５２は、一対の楕円形の板であって、該板の長さ方向の一端部間にＸ字脚１１０ａのポール１１１ａの後側の下端部が回動自在に取り付けられている。前記板の長さ方向の他端部間には、支持ポール１５１の下端部が回動自在に取り付けられている。支持ポール１５１は、外径が後側支持ポール１４０と同じであって、上側連結部１３０ａの貫通孔を貫通し上方に延びている。支持ポール１５１の上端部はシート２００のシート本体２１０の上側の両角部に固着され、該シート本体２１０の背もたれ部２１２を所定角度で支持している。回動部１５２の一端部を支点に、回動部１５２を回動させると、図６に示すように支持ポール１５１が前記所定角度から更に傾く。これに伴って、背もたれ部２１２も更に傾く。
【００２９】
このような構成の折り畳み椅子も、上述した展開状態（図４及び図５参照）で、回動軸部３２０を支点に手摺り本体３１０を回動させ、クランプ部３３０の先端部にＸ字脚１１０ａのポール１１１ａの前側の上端部を嵌合させると、手摺り本体３１０が支持ポール１５１とＸ字脚１１０ａの前側の上端部との間に懸架される。これにより、手摺り本体３１０が手摺り本来の機能を発揮する。このとき、回動軸部３２０は、上側連結部１３０ａに当接し支持されている。クランプ部３３０は、Ｘ字脚１１０ａの前側の上端部に外嵌したストッパー１１３ａにより、該ストッパー１１３ａよりも下側にずり落ちないようになっている。一方、上述した折り畳み状態（図６参照）で、回動軸部３２０を支点に手摺り本体３１０を回動させ、クランプ部３３０の先端部に支持ポール１５１における回動軸部３２０の取付部位の下側部分を嵌合させると、手摺り本体３１０が支持ポール１５１における上側連結部１３０ａの上側部分と下側部分とに懸架される。この状態で、手摺り本体３１０が本折り畳み椅子を持ち運ぶための把手としての機能を発揮する。したがって、本折り畳み椅子の可搬性を向上させることができる。しかも、回動軸部３２０が支持ポール１５１に上下動自在に取り付けられていることから、手摺り本体３１０を把手として利用する際に、回動軸部３２０の位置を可変すると共に、クランプ部３３０の嵌合位置を可変することにより、把手の位置を各ユーザーに適した位置に変えることができる。
【００３０】
また、クランプ部３３０が手摺り本体３１０の他端部に回動自在に取り付けられていることから、該クランプ部３３０の角度を変えることができる。よって、クランプ部３３０にポール１１１ａ及び支持ポール１５１を嵌合させる際に、ポール１１１ａの傾斜角、支持ポール１５１の傾斜角に応じてクランプ部３３０の角度を各々変えることにより、クランプ部３３０にポール１１１ａ、支持ポール１５１を簡単に嵌合させることができる。また、手摺り本体３１０が略Ｕ字状であることから、懸架された状態が安定する。
【００３１】
なお、上述した折り畳み椅子は、上記実施例１及び２に限定されるものではなく、特許請求の範囲の範囲において任意に設計変更することが可能である。以下、詳しく述べる。
【００３２】
上記実施例１では、脚部１００は、Ｘ字脚１１０ａ、１１０ｂ、下側連結部１２０ａ、１２０ｂ、上側連結部１３０ａ、１３０ｂ、後側支持ポール１４０を備えるとしたが、折り畳み可能である限り任意に設計変更することが可能である。この点は、脚部１００’も同様である。例えば、図７に示すように、脚部１００’’が、Ｘ字脚１１０ｂの代わりに、Ｘ字脚１１０ａの後側の上端部、後側の下端部同士を各々連結する一対の後側連結部１６０ａと、Ｘ字脚１１０ａの前側の上端部、前側の下端部同士を各々連結する一対の前側連結部１６０ｂとを備えた構成とすることが可能である。この場合であっても、Ｘ字脚１１０ａを閉じることにより、脚部１００’’を板状に折り畳むことができる。この点は、脚部１００’についても同様に設計変更することが可能である。なお、ストッパー１１３ａは、実施例１のＸ字脚１１０ａや前述又は後述の変形例の脚部のＸ字脚１１０ａにも設けることが可能である。
【００３３】
また、上述した手摺り３００の回動軸部３２０は、上記実施例１では後側支持ポール１４０に、実施例２では支持ポール１５１に上下動自在に取り付けられているとしたが、折り畳み可能な脚部の後側部分に設けられている限り任意に設計変更することが可能である。例えば、回動軸部３２０は、実施例１及び２のＸ字脚１１０ａの後側上端部に固着されていてもよい。また、回動軸部は、上下動可能になっている必要はない。具体的には、図８に示すように、脚部１００’’’が、一対のＸ字脚１１０ａと、展開状態でＸ字脚１１０ａの前側の上端部と後側の上端部とに懸架される一対の懸架部材１７０を備えている場合、回動軸部３２０’は、Ｘ字脚１１０ａの後側の上端部に固着されている。この場合、後側支持ポール１４０、リクライニング機構１５０、Ｘ字脚１１０ｂは省略されており、Ｘ字脚１１０ａは、前側、後側上端部同士及び／又は前側、後側下端部同士が連結部で連結されている。或いは、Ｘ字脚１１０ａの中心部同士が連結部で連結されている。なお、懸架部材１７０は、展開状態で、Ｘ字脚１１０ａの前側の下端部と後側の下端部とに懸架される構成とすることも可能である。
【００３４】
また、上記実施例１及び２では、手摺り３００の係止手段として、展開状態でＸ字脚１１０ａの前側の上端部が、折り畳み状態で後側支持ポール１４０又は支持ポール１５１が嵌合可能なクランプ部３３０を用いるとしたが、これに限定されるものではない。前記係止手段は、展開状態で、係止手段が脚部の前側部分に着脱自在に係止され、折り畳み状態で、係止手段が脚部の後側部分の回動軸部の取付部位の上側部分又は下側部分に着脱自在に係止される限り、任意に設計変更することが可能である。また、係止手段は、手摺り本体の他端部に回動自在に設けられている必要はなく、他端部に一体的に設けられていてもよい。
【００３５】
上述した手摺り３００の手摺り本体３１０は、略Ｕ字状であるとしたが、これに限定されるものではなく、長さ方向の一端部に上述した回動軸部が、長さ方向の他端部に前記係止手段が設けられるものである限り任意に設計変更可能である。
【００３６】
上記実施例１及び２では、座面部２１１は、シート本体２１０の垂直部、背もたれ部２１２は、シート本体２１０の垂直部であるとしたが、これに限定されるものではない。上述のように後側支持ポール１４０、リクライニング機構１５０が省略されている場合には、図８に示すシート２００’のシート本体２１０’のように、背もたれ部２１２を省略し、座面部２１１’のみとすることができる。背もたれ部２１２を省略する場合には、矩形状の座面部２１１’の４つ角部をＸ字脚１１０ａの前後側の上端部に固着することも可能である。なお、座面部は脚部により支持されるものである限り、任意に設計変更することが可能である。
【００３７】
上記実施例１及び２では、Ｘ字脚が円筒状のポールを有するとしたが、これに限定されるものではない。例えば、前記ポールに替えて、板状のフレーム等を用いることが可能である。後側支持ポール１４０、支持ポール１５１についても同様に、板状のフレーム等を用いることが可能である。クランプ部３３０の先端部の内部形状は、嵌合対象の形状に応じて適宜設計変更することが可能である。また、上記実施例１及び２では、後側支持ポール１４０、支持ポール１５１は、上側連結部１３０ａを貫通するとしたが、取り付けられていれば良い。
【００３８】
なお、上記実施の形態では、折り畳み椅子の各部を構成する素材、形状、寸法及び配置等はその一例を説明したものであって、同様の機能を実現し得る限り任意に設計変更することが可能である。
【符号の説明】
【００３９】
１００・・・脚部
１１０ａ・Ｘ字脚（第１Ｘ字脚）
１１０ｂ・Ｘ字脚（第２Ｘ字脚）
１２０ａ・下側連結部（第１下側連結部）
１２０ｂ・下側連結部（第２下側連結部）
１３０ａ・上側連結部（第１上側連結部）
１３０ｂ・上側連結部（第２上側連結部）
１４０・・後側支持ポール（後側支持部）
２００・・・シート
２１０・・シート本体
２１１・座面部
２１２・背もたれ部
２２０・・取付部
３００・・・手摺り
３１０・・手摺り本体
３２０・・回動軸部
３３０・・クランプ部
３４０・・クッション部
【図１】
0005558234.tif 000002
【図２】
0005558234.tif 000003
【図３】
0005558234.tif 000004
【図４】
0005558234.tif 000005
【図５】
0005558234.tif 000006
【図６】
0005558234.tif 000007
【図７】
0005558234.tif 000008
【図８】
0005558234.tif 000009